(57)【要約】  製造製品には、ＰＶモジュール回路を形成する複数のＰＶセルが含まれ、前記ＰＶモジュール回路の末端の１つに電気的に結合される第１のバスバーおよび前記ＰＶモジュール回路の第２の末端に電気的に結合される第２のバスバーを伴う。前記バスバーは、ＰＶセルの光入射面の反対面のＰＶセル上に配置される。  【選択図】図４
2015518289.tif 000002
【特許請求の範囲】
【請求項１】
製造製品であり、
少なくとも１つのＰＶセルを含む光起電力（ＰＶ）モジュール、
それぞれが前記少なくとも１つのＰＶセルに電気的に結合され、モジュール回路を形成する複数の導体素子、
前記モジュール回路の第１の電気末端に結合される第１のバスバーであり、前記ＰＶモジュールが光入射面をさらに含み、また、前記少なくとも１つのＰＶセルからのＰＶセルが前記第１のバスバーと前記光入射面との間に挿入される、前記第１のバスバー、ならびに、
前記モジュール回路の第２の電気末端に結合される第２のバスバーであり、前記少なくとも１つのＰＶセルからのＰＶセルが前記第２のバスバーと前記光入射面との間に挿入される、前記第２のバスバーを含む、前記製造製品。
【請求項２】
前記ＰＶモジュールは複数のＰＶセルをさらに含み、前記ＰＶセルの隣接ペアがそれぞれその間に配置される誘導体を有し、
前記複数の導体素子はそれぞれ前記複数のＰＶセルの少なくとも１つと電気的に結合しており、また、前記導体素子は前記ＰＶセルを電気的に接続し、および
前記第１のバスバーと前記光入射面との間に挿入される前記ＰＶセルは第１のＰＶセルを含み、また、前記第２のバスバーと前記光入射面との間に挿入されるＰＶセルは第２のＰＶセルを含む、請求項１に記載の製造製品。
【請求項３】
前記光入射面上のＰＶセルの第１のセルに電気的に結合される前記第１のバスバーをさらに含み、前記製品は前記第１のバスバーと前記ＰＶセルの第１のセルとの間に配置されるバスバー分離誘電体をさらに含む、請求項２に記載の製造製品。
【請求項４】
前記バスバー分離誘電体が前記ＰＶセルの第１のセルの外側部分上に配置される部分をさらに含む、請求項３に記載の製造製品。
【請求項５】
前記ＰＶモジュールが前記光入射面の反対面をさらに含み、また、前記第２のバスバーが前記ＰＶセルの第２のセルの前記反対面に電気的に結合される、請求項２〜４のいずれか１項に記載の製造製品。
【請求項６】
前記製品が前記第２のバスバーと前記ＰＶセルの第２のセルとの間に配置される誘電体をさらに含む、請求項２〜５のいずれか１項に記載の製造製品。
【請求項７】
前記モジュール回路が直列回路、並列回路および直列−並列回路から成る配置から選択される回路配置を含む、請求項２〜６のいずれか１項に記載の製造製品。
【請求項８】
前記モジュール回路、前記第１のバスバーおよび前記第２のバスバーが電気アセンブリを形成し、前記製品は前記電気アセンブリを被包するように構成された少なくとも１つの封止材料をさらに含む、請求項１〜７のいずれか１項に記載の製造製品。
【請求項９】
請求項８に記載の製造製品を利用する方法であり、前記方法は前記電気アセンブリを形成すること、および、その形成後に前記電気アセンブリを前記少なくとも１つの封止材料内に被包することを含む、前記方法。
【請求項１０】
前記ＰＶモジュールは前記光入射面の反対面をさらに含み、また、前記第２のバスバーが前記ＰＶセルの第２のセルの前記反対面に電気的に結合され、前記製品は建設材料ユニットのユニット形状を規定する構造上の裏板、前記構造上の裏板と前記第２のバスバーとの間に挿入される封止材料をさらに含み、前記第２のバスバーは前記封止材料と前記ＰＶセルの第２のセルとの間に挿入される、請求項２〜７のいずれか１項に記載の製造製品。
【請求項１１】
前記構造上の裏板と前記第１のバスバーとの間に挿入される封止材料をさらに含み、前記第１のバスバーが前記封止材料と前記ＰＶセルの第１のセルとの間に挿入される、請求項１０に記載の製造製品。
【請求項１２】
それぞれが対応するモジュール回路を含むＰＶモジュールを複数さらに含み、前記第１のバスバーが前記対応するモジュール回路のそれぞれの第１の電気末端に電気的に結合され、また、前記第２のバスバーが前記対応するモジュール回路のそれぞれの第２の電気末端に電気的に結合される、請求項１〜８および１０、１１のいずれか１項に記載の製造製品。
【発明の詳細な説明】
【技術分野】
【０００１】
本発明は、改善した光起電力デバイスに関連し、さらに具体的には、制限はされないが、アクティブソーラー領域（ａｃｔｉｖｅ  ｓｏｌａｒ  ａｒｅａ）の強化された利用度を有する光起電力デバイスに関連する。
【背景技術】
【０００２】
現在知られる光起電力（ＰＶ）デバイスには、ＰＶデバイスの一部であるアクティブソーラー領域が含まれ、ここで、光子が受け取られ、電気的に利用可能なエネルギーに変換される。多くのデバイスには、バスバーといった電気接続アセンブリ素子のために確保されている利用されていないアクティブソーラー領域の断片、および／または、バスバーといった電気接続アセンブリ素子によって覆われている領域がある。したがって、特定の種類の、現在知られるＰＶデバイスは、光子の捕獲のためのアクティブソーラー領域のかなりの割合を利用できていない。たとえば建物製品と一体化されたＰＶデバイスの、適用表面積があらかじめ決まっている特定の適用においては、面積別の太陽エネルギーのユニット捕獲が優先され、設置が経済的に実行可能かどうかに影響し得る。ＰＶデバイスが元の製品と同一の形状因子に適合することも建物一体型ＰＶデバイスには好ましく、たとえば、屋根板一体型ＰＶデバイスは、屋根板または屋根板のグループの物理的なスペースと取り換え可能であるべきである。
【０００３】
本技術に関連し得る文献の中には、国際公開２００９／００６２３０Ａ２号、欧州特許第１５４４９２１Ａ１号が含まれる。
【発明の概要】
【課題を解決するための手段】
【０００４】
１つの態様における本開示には、少なくとも１つのＰＶセル、少なくとも１つのＰＶセルに電気的に結合される複数の導体素子を有し、モジュール回路を形成する光起電力（ＰＶ）モジュール、モジュール回路の第１の電気末端に結合される第１のバスバー、および、モジュール回路の第２の電気末端に結合される第２のバスバーを含む、製造製品が含まれる。モジュールには光入射面をさらに含み、少なくとも１つのＰＶセルからのＰＶセルが光入射面と第１のバスバーとの間に配置され、少なくとも１つのＰＶセルからのＰＶセルと同一または異なり得るＰＶセルが、光入射面と第２のバスバーとの間に配置される。
【０００５】
本開示の追加または別の態様は、次に挙げるいずれか１つ以上の特色をさらに特徴とし得る、ＰＶセルの隣接ペアがそれぞれその間に配置される誘電体を有する複数のＰＶセル、導体素子はそれぞれ少なくとも１つのＰＶセルに電気的に結合されてＰＶセルを電気的に接続し、また、第１のＰＶセルは第１のバスバーと光入射面との間に挿入され、第２のＰＶセルは第２のバスバーと光入射面との間に挿入される、前記複数のＰＶセル、第１のＰＶセルの光入射面に電気的に結合される第１のバスバー、および、第１のバスバーと第１のＰＶセルとの間に配置されるバスバー分離誘電体を有するＰＶモジュール、第１のＰＶセルの外側部分上に配置される部分をさらに含むバスバー分離誘電体、第２のＰＶセルの、光入射面の反対面に電気的に結合される第２のバスバー、第２のバスバーと第２のＰＶセルとの間に配置される誘電体、並列、直列または直列−並列として配置されるモジュール回路、封止材料に被包される電気アセンブリを形成するモジュール回路、第１のバスバーおよび第２のバスバー、建設材料ユニットのユニット形状を規定する構造上の裏板、および、構造上の裏板と第２のバスバーとの間に配置される封止材料であり、第２のバスバーは封止材料と第２のＰＶセルとの間に挿入される、前記封止材料、建設材料ユニットのユニット形状を規定する構造上の裏板、および、構造上の裏板と第２のバスバーとの間に配置される封止材料であり、第２のバスバーは封止材料と第２のＰＶセルとの間に挿入され、第１のバスバーは封止材料と第１のＰＶセルとの間に挿入される、前記封止材料、ならびに／または、それぞれが対応するモジュール回路を有する複数のＰＶモジュールであり、第１のバスバーは対応するモジュール回路のそれぞれの第１の電気末端に電気的に結合され、第２のバスバーは対応するモジュール回路のそれぞれの第２の電気末端に電気的に結合される、前記複数ＰＶモジュール。
【０００６】
本開示の追加または別の態様は、電気アセンブリを形成すること、および、その形成後に電気アセンブリを封止材料内に被包することを含む、製品を利用する方法である。
【図面の簡単な説明】
【０００７】
【図１】図１は、第１のバスバーおよび第１のバスバーとＰＶモジュールの光入射面との間に配置される第１のＰＶセルの模式図である。
【図２】図２は、第２のバスバーおよび第２のバスバーとＰＶモジュールの光入射面との間に配置される第２のＰＶセルの模式図である。
【図３】図３は、第２のバスバーおよび第２のバスバーとＰＶモジュールの光入射面との間に配置される第２のＰＶセルの代替実施形態である。
【図４】図４はＰＶモジュールの模式図である。
【図５】図５はＰＶモジュールを含む製造製品の模式側面図である。
【発明を実施するための形態】
【０００８】
図１を参照すると、ＰＶモジュールの一部分の図示１００が示される。第１のＰＶセル１０４は、第１のバスバー１６に電気的に結合される。本明細書で使用されるＰＶセルには、入射電磁（ＥＭ）放射に対して電気的な反応を起こす任意の材料であり得るＰＶ材料から形成される要素を含み、特定の実施形態では、ＥＭ放射に対して商業上利用可能な反応を起こす、および／または、商業上利用可能な周波数内である入射ＥＭ放射に対して電気的な反応を起こす任意の材料が含まれる。商業上利用可能とは、広義に理解されるべきであり、少なくとも、発生する電気の量、種類の可用性および／またはＥＭ放射の量が含まれ得、さらにその適用に依存し得る。適用依存とは、限定されないが、適用の表面積、適用の設置表面の方向、適用の電気的な必要条件、適用場所における代替電源の可用性、適用の資本コストまたは運用コストに対する感受性に関連する。ＰＶ材料の非制限的な例としては、銅カルコゲナイド型セル（たとえば、銅インジウムガリウムセレン化物、銅インジウムセレン化物、銅インジウムガリウム硫化物、銅インジウム硫化物、銅インジウムガリウムセレン化硫化物など）、アモルファスシリコンセル、結晶シリコンセル、薄膜ＩＩＩ−Ｖセル、有機光電池、ナノ粒子光電池、色素増感太陽セル、および／または、記載された材料の組み合わせが含まれる。
【０００９】
その単独接続が説明のために示されている導体素子１０８は、第１のＰＶセル１０４を、別のＰＶセル１０２および第１のバスバー１０６に接続する。図示１００では、誘電体材料１１０ａが第１のバスバー１０６と第１のＰＶセル１０４との間に配置され、たとえば、導体素子１０８経由を除いて、第１のＰＶセル１０４と第１のバスバー１０６との間の電気的分離を確実にする。特定の実施形態では、誘電体材料には、第１のＰＶセル１０４の外側部分上に配置される部分１１０ｂが含まれる。図示１００では、第１のＰＶセル１０４は一緒にＰＶモジュールを形成する複数のＰＶセルの一端にある末端ＰＶセルである。
【００１０】
特定の実施形態では、ＰＶセルの隣接ペア１０２、１０４はその間に配置される誘電体１１２を有する。図示１００では、第１のＰＶセル１０４を含むＰＶモジュールの光入射面は第１のＰＶセル１０４の上であり、第１のＰＶセル１０４は光入射面と第１のバスバー１０６との間に配置される。したがって、第１のバスバー１０６は第１のＰＶセル１０４または別のＰＶセル１０２のいずれも遮光せず、第１のバスバー１０６はスペースの確保を一切必要としないので、よって、ＰＶモジュールを含むデバイスのアクティブソーラー領域内でＰＶセルとスペースを争わない。第１のＰＶセル１０４は第１のバスバー１０６の真上に描かれているが、たとえば、第１のバスバー１０６がＰＶモジュール内の他の１つ以上のＰＶセルの完全に下、または部分的に下に配置される状態で、第１のＰＶセル１０４は第１のバスバー１０６と光入射面との間である任意の場所に配置され得る。
【００１１】
図２を参照すると、ＰＶモジュールの一部分の図示２００が示される。図示２００には、第２のバスバー２０６に電気的に結合される、第２のＰＶセル２０４といった第２のＰＶセルが含まれる。図示２００には、たとえば溶接または接着剤による直接的な接触によってＰＶセル２０４に物理的に結合される第２のバスバー２０６が含まれる。しかし、第２のバスバー２０６および第２のＰＶセル２０４の電気的結合には当該技術分野で理解される任意のメカニズムが含まれる。図示２００では、第２のバス２０６は光入射面ではなくむしろ第２のＰＶセル２０４の反対面に電気的に結合されるが、いずれかの面への接続が企図される。導体要素１０８は第２のＰＶセル２０４を別のＰＶセル１０２に結合する。誘電体１１２は隣接ＰＶセルとの間に配置される。図３を参照すると、第２のバスバー２０６は第２のＰＶセル２０４からずらされ得る。第２のＰＶセル２０４からずらされた第２のバスバー２０６は、たとえばワイヤーで電気的に結合され、さらに、たとえば誘電体３１２で第２のセル２０４から隔離され得、指定した電気路のみが第２のバス２０６を第２のＰＶセル２０４に接続することを確実にする。
【００１２】
図４を参照すると、製品４００は複数のＰＶセル（たとえば、ＰＶセル１０２、１０４，２０４）を有するＰＶモジュールを含み、ここで、ＰＶセルの各隣接ペアはその間に誘電体１１２を含む。特定の実施形態では、たとえば屋根板といった建物一体型材料ユニットである装置は複数のＰＶモジュールを含む。さらに、または代わりに、バスバー１０６、２０６はそれぞれ複数のＰＶモジュールを一緒に電気的に結合し得、たとえば、第１のバスバー１０６は各モジュールの一端に結合され、第２のバスバー２０６は、各モジュールの第２の末端に結合される。複数のＰＶモジュールが存在する場合、モジュールはＰＶモジュールのグループの所望する電気的特徴に従って、直列、並列および／または直列−並列の混合で電気的に結合され得る。
【００１３】
各例において、誘電体１１２は、製品４００内でＰＶセルの１つの上にあるように示されるが、双方またはいずれかのＰＶセルがそれに結合された誘電体を有し得る。さらに、または代わりに、誘電体はいずれにも結合されないで、ＰＶセルの間に配置され得る。十分な電気的隔離を提供するための、隣接ＰＶセル間の誘電体１１２のサイズ調節または配置は、本明細書での開示を利用する当業者にとっては機械的な工程である。ＰＶセル１０２、１０４，２０４は複数の導体要素１０８で電気的に結合され、モジュール回路を形成する。製品４００のモジュール回路は直列回路として示される。しかし、モジュール回路は直列、並列、および／または直列−並列の混合であり得る。
【００１４】
製品４００はモジュール回路の第１の電気末端に結合される第１のバスバー１０６およびモジュール回路の第２の電気末端に結合される第２のバスバー２０６を含む。第１のバスバー１０６はＰＶセルの第１のセル１０４の下に配置され、それによって、第１のＰＶセル１０４は第１のバスバー１０６と製品４００の光入射面との間に配置される。第２のバスバー２０６はＰＶセルの第２のセル２０４の下に配置され、それによって、第２のＰＶセル２０４は第２のバスバー２０６と製品４００の光入射面との間に配置される。バスバー１０６、２０６は末端セルではない１つ以上のＰＶセルの下（たとえば、光入射面とバスバーとの間に挿入されるＰＶセルはバスバーの「上」にある）に配置されることが企図され、したがって、第１のＰＶセル１０４および／または第２のＰＶセル２０４はＰＶモジュールの電気末端ではないことがさらに企図される。特定の実施形態では、バスバー１０６、２０６は同一ＰＶセルの下に配置され得、および／または、バスバー１０６、２０６がその下に配置される１つ以上のＰＶセルを共有し得る。
【００１５】
本明細書に記載される実施形態は、説明および描写の明確性のために、モジュール回路の各電気末端に結合される単一のバスバーを含む。しかし、特定の実施形態では、製品４００はモジュール回路の各電気末端にて２つ以上のバスバーを含む、モジュール回路の各電気末端のバスバーの数は、ＰＶセル１０４、２０４の選択された接続手法によって決定され、接続手法を企図し、本明細書での開示を利用する当業者には理解される。
【００１６】
図４の例は複数のＰＶセル１０２、１０４、２０４を有する製品４００を例示するが、ＰＶモジュールは単一のＰＶセルのみを含み得ることが企図される。単一のＰＶセルを有する実施形態のバスバー１０６、２０６は双方とも、光入射面とバスバー１０６、２０６との間に挿入される単一のＰＶセルと一緒に配置される。バスバー１０６、２０６は互いに電気的に隔離され、封止材料といった誘電体または絶縁材料による電気的隔離が含まれる。バスバー１０６、２０６の１つは、単一のＰＶセルの電気的方向および製品４００の所望される構造次第で単一のＰＶセルと直接接触し得るが、双方のバスバー１０６、２０６はまた、導体素子１０８経由で接続されるのを除いて、単一のＰＶセルから電気的に隔離され得る。
【００１７】
本明細書に記載される装置および製品の特定の実施形態は多くの層および／またはアセンブリを含むことが企図され、たとえば、限定されないが、現在出願中の国際特許出願ＰＣＴ／ＵＳ０９／０４２４９６に記載される様々な実施形態からの特色が含まれ、前記特許出願は、あらゆる目的のために、その全体が参照により本明細書に組み込まれる。図５を参照すると、製品５００が破断図で模式的に示される。製品５００はＰＶセル１０２、１０４、２０４といった複数のＰＶセルを含み、これらは電気的に接続され、モジュール回路を形成する。第１のＰＶセル１０４はモジュール回路の第１の電気末端に配置され、第２のＰＶセル２０４はモジュール回路の第２の電気末端に配置される。第１のバスバー１０６はＰＶセルの第１のセル１０４に電気的に結合され、第２のバスバー２０６はＰＶセルの第２のセル２０４に電気的に結合される。モジュール回路、第１のバスバー１０６、第２のバスバー２０６は一緒に電気アセンブリを形成する。製品５００は電気アセンブリを被包する封止材料５０８をさらに含む。封止材料５０８は１つ以上の層で提供され得、および／または、他の任意の方法で型に入れて作られ得るか、または組み立てられ得る。非制限的な封止材料の例としては、ポリオレフィン、エチル酢酸ビニルおよび／または高分子絶縁材料が含まれる。封止材料５０８の１つ以上の層は同一または異なる材料から形成され得る。
【００１８】
例の製品５００は、製品５００の光入射面５１０上に提供される透明シート５０２を含む。シート５０２はＰＶセル１０４、２０４、１０２に適切な光周波数に対して透明であり、これには、可視光スペクトルの全てまたは部分を含み得、さらに、または代わりに、可視周波数より上または下の光スペクトルの部分を含み得る。シート５０２は物理的な保護および／または、環境的な保護を提供し得る。特定の実施形態では、ＰＶセル１０４、２０４、１０２の上に追加の層が提供され、製品５００にさらなる保護または所望される特色を提供し得る。
【００１９】
例の製品５００は製品５００の形状を規定する構造上の裏板５０４をさらに含む。構造上の裏板５０４は、光入射面５１０に対し、製品の反対面上５１２に提供される。例では、構造上の裏板５０４はシート５０２に結合されているが、追加の層または結合特色が存在し得る。たとえば、水および／もしくは他の物質の電気アセンブリ内への侵入を阻止する、ならびに／または、たとえば屋根材または設置表面からの電気的隔離を提供するために、製品５００は環境上のバリアシート５０６をさらに含む。さらに任意の包装、ワイヤーメッシュ、バリア層、構造層および／または支持層が製品５００には存在し得る。製品５００の記載される要素は非制限的な例であり、記載される要素は特定の実施形態では存在または欠損し得る。特定の実施形態では、製品５００は屋根板または屋根板群を代用するようにサイズ調節されたユニットとして形成される。特定の実施形態では、製品５００は羽目板のユニットとして形成される。特定の実施形態では、製品５００は建物一体型ＰＶ製品として形成される。特定の実施形態では、製品５００は、取り換えの従来の建物製品と同じ厚さであり、取り換えの従来の建物製品以下の厚さであり、建物製品の指定された厚さ以下の厚さである。特定の実施形態では、製品５００は接続箱を含まない。
【００２０】
例の製品５００は光入射面５１０の反対面５１２を含み、ここで、第２のバスバー２０６は第２のＰＶセル２０４の反対面５１２に電気的に結合される。製品５００は、建設材料ユニット（たとえば、屋根板、羽目板ユニットおよび／またはそのグループ）のユニット形状を規定する構造上の裏板５０４、構造上の裏板５０４と第２のバスバー２０６との間に挿入される封止材料５０８、および封止材料５０８と第２のＰＶセル２０４との間に挿入される第２のバスバー２０６をさらに含む。製品５００は、構造上の裏板５０４と第１のバスバー１０６との間に挿入される封止材料５０８をさらに含み、ここで、第１のバスバー１０６は封止材料５０８と第１のＰＶセル１０４との間に挿入される。図５の例では、バスバー１０６、２０６は、電気方向が好都合であるセル１０４、２０４と接触し得、または、セル１０４、２０４から分離され、封止材料５０８および／または誘電体１１０ａで隔離され得る。バスバー１０６、２０６は、製品５００の所望する構造次第で、セル１０４、２０４の電気方向に関わらずセル１０４、２０４から分離され得る。
【００２１】
次に続く概略フローの説明はＰＶ製品を利用するための手順を実行する例示的な実施形態を提供する。説明される動作は例示的のみであることを理解し、動作は、本明細書で明示的に逆に記述されない限り、組み合わされるまたは分割される可能性があり、また、付け加えられるまたは取り除かれる可能性があり、ならびに、全体または一部分で並び替えられる可能性がある。説明される特定の動作は、コンピューター読み取り可能媒体上のコンピュータープログラム製品を実行するコンピューターによって遂行され得、ここで、コンピュータープログラム製品は、コンピューターが１つ以上の動作を実行する、または、１つ以上の動作を実行するよう他のデバイスに命令を発するようにさせる指示を含む。
【００２２】
例の手順には、複数の電気的に結合されたＰＶセル、モジュール回路の第１の末端に電気的に結合される第１のバスバーおよびモジュール回路の第２の末端に電気的に結合される第２のバスバーを有するモジュール回路を含む電気アセンブリを形成する動作を含む。ＰＶセルの電気結合は直列、並列、または直列−並列の混合であり得る。手法は、その形成後に電気アセンブリを封止材料内に被包する動作をさらに含む。
【００２３】
上記明細書で引用される数値はいずれも、任意のより低い値と任意のより高い値との間に少なくとも２つの単位分の間隔があるとして、１単位ずつ増加するより低い値から上位の値までの全ての値を含む。例としては、部品の量、または、たとえば温度、圧力、時間などといったプロセス変数の値がたとえば１〜９０であり、さらに２０〜８０を含み、３０〜７０も含むと記述される場合、１５〜８５、２２〜６８、４３〜５１、３０〜３２などといった値が本開示に明白に挙げられることが意図される。１つの単位は最も正確な開示された単位と見なされ、たとえば、必要に応じて０．０００１、０．００１、０．０１または０．１である。これらは具体的に意図されたものの例に過ぎず、挙げられる最低値と最高値との間の数値の可能性のある全ての組み合わせが同様に本開示に明白に記述されることが企図される。
【００２４】
別様に記述されない限り、全範囲に端点および端点の間の全ての数が含まれる。特許出願および公報を含む、全ての文献および参照の開示があらゆる目的で参照によって組み込まれる。本明細書における要素、成分、部品または工程の組み合わせを説明する「含む（ｃｏｍｐｒｉｓｉｎｇ）」または「含む（ｉｎｃｌｕｄｉｎｇ）」という語の使用は、その要素、成分、部品または工程から実質的に成る実施形態も企図する。冠詞「１つ（ａ）」もしくは「１つ（ａｎ）」の使用および／または単一の品目もしくは特色の開示は、明示的に逆に記述されない限り、２つ以上の品目または特色の存在を企図する。
【００２５】
本発明の例となる実施形態が開示される。しかし、当業者なら、開示された実施形態に対する特定の調節は本開示の教示内に含まれることを理解するだろう。したがって、次の特許請求の範囲が、本発明の忠実な範囲および内容を決定するために検討されるべきである。
【図１】
2015518289.tif 000003
【図２】
2015518289.tif 000004
【図３】
2015518289.tif 000005
【図４】
2015518289.tif 000006
【図５】
2015518289.tif 000007
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
光起電力モジュールであり、
銅カルコゲナイド型セル、アモルファスシリコンセル、薄膜ＩＩＩ−Ｖセル、有機光電池、ナノ粒子光電池および色素増感太陽セルの群から選択される、少なくとも１つのＰＶセル、
それぞれが前記少なくとも１つのＰＶセルに電気的に結合され、モジュール回路を形成する複数の導体素子、
前記モジュール回路の第１の電気末端に結合される第１のバスバーであり、前記ＰＶモジュールが光入射面をさらに含み、また、前記少なくとも１つのＰＶセルからのＰＶセルが前記第１のバスバーと前記光入射面との間に挿入される前記第１のバスバー、ならびに、
第２のバスバーであり、前記少なくとも１つのＰＶセルからのＰＶセルが前記第２のバスバーと前記光入射面との間に挿入され、前記第２のバスバーが前記ＰＶセルの反対面に電気的に結合される前記第２のバスバーを含む、前記光起電モジュール。
【請求項２】
前記少なくとも１つのＰＶセルは複数のＰＶセルを含み、前記ＰＶセルの隣接ペアがそれぞれその間に配置される誘導体を有し、
前記複数の導体素子は前記複数のＰＶセルの少なくとも１つと電気的に結合しており、また、前記導体素子は前記ＰＶセルを電気的に接続し、および
前記複数のＰＶセルは前記第１のバスバーと第１のＰＶセルの前記光入射面との間に挿入される第１のＰＶセル、および、前記第２のバスバーと第２のＰＶセルの前記光入射面との間に挿入される第２のＰＶセルであって、前記第２のバスバーが前記第２のＰＶセルの反対面に電気的に結合される前記第２のＰＶセルを含む、請求項１に記載のモジュール。
【請求項３】
前記光入射面上のＰＶセルの第１のセルに電気的に結合される前記第１のバスバーをさらに含み、製品は前記第１のバスバーと前記ＰＶセルの第１のセルとの間に配置されるバスバー分離誘電体をさらに含む、請求項２に記載のモジュールクチュア（ｃｔｕｒｅ）。
【請求項４】
前記バスバー分離誘電体が前記ＰＶセルの第１のセルの外側部分上に配置される部分をさらに含む、請求項３に記載のモジュール。
【請求項５】
前記第２のバスバーが前記第２のＰＶセルの反対面に直接接触で物理的に結合される、請求項２〜４のいずれか１項に記載のモジュール。
【請求項６】
前記製品が前記第２のバスバーと前記ＰＶセルの第２のセルとの間に配置される誘電体を含む、請求項２〜４のいずれか１項に記載のモジュール。
【請求項７】
前記モジュール回路が直列回路、並列回路および直列−並列回路から成る配置から選択される回路配置を含む、請求項２〜４のいずれか１項に記載のモジュール。
【請求項８】
前記モジュール回路、前記第１のバスバーおよび前記第２のバスバーが電気アセンブリを形成し、製品は前記電気アセンブリを被包するように構成された少なくとも１つの封止材料をさらに含む、請求項１〜７のいずれか１項に記載のモジュール。
【請求項９】
請求項８に記載のモジュールを利用する方法であり、前記方法は前記電気アセンブリを形成すること、および、その形成後に前記電気アセンブリを前記少なくとも１つの封止材料内に被包することを含む、前記方法。
【請求項１０】
前記ＰＶモジュールは前記光入射面の反対面をさらに含み、また、前記第２のバスバーが前記ＰＶセルの第２のセルの反対面、材料ユニット、構造上の裏板と前記第２のバスバーとの間に挿入される封止材料に電気的に結合され、また、前記第２のバスバーは前記封止材料と前記ＰＶセルの第２のセルとの間に挿入される、請求項２〜７のいずれか１項に記載のモジュール。
【請求項１１】
前記構造上の裏板と前記第１のバスバーとの間に挿入される封止材料をさらに含み、前記第１のバスバーが前記封止材料と前記ＰＶセルの第１のセルとの間に挿入される、請求項１０に記載のモジュール。
【請求項１２】
前記モジュールが屋根板である、請求項１〜８および１０、１１のいずれか１項に記載のモジュール。
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
光起電力モジュールであり、
銅カルコゲナイド型セル、アモルファスシリコンセル、薄膜ＩＩＩ−Ｖセル、有機光電池、ナノ粒子光電池および色素増感太陽セルの群から選択される、少なくとも１つのＰＶセル、
それぞれが前記少なくとも１つのＰＶセルに電気的に結合され、モジュール回路を形成する複数の導体素子、
前記モジュール回路の第１の電気末端に結合される第１のバスバーであり、前記ＰＶモジュールが光入射面をさらに含み、また、前記少なくとも１つのＰＶセルからのＰＶセルが前記第１のバスバーと前記光入射面との間に挿入される前記第１のバスバー、ならびに、
第２のバスバーであり、前記少なくとも１つのＰＶセルからのＰＶセルが前記第２のバスバーと前記光入射面との間に挿入され、前記第２のバスバーが前記ＰＶセルの反対面に電気的に結合される前記第２のバスバーを含む、前記光起電モジュール。
【請求項２】
前記少なくとも１つのＰＶセルは複数のＰＶセルを含み、前記ＰＶセルの隣接ペアがそれぞれその間に配置される誘導体を有し、
前記複数の導体素子は前記複数のＰＶセルの少なくとも１つと電気的に結合しており、また、前記導体素子は前記ＰＶセルを電気的に接続し、および
前記複数のＰＶセルは前記第１のバスバーと第１のＰＶセルの前記光入射面との間に挿入される第１のＰＶセル、および、前記第２のバスバーと第２のＰＶセルの前記光入射面との間に挿入される第２のＰＶセルであって、前記第２のバスバーが前記第２のＰＶセルの反対面に電気的に結合される前記第２のＰＶセルを含む、請求項１に記載のモジュール。
【請求項３】
前記光入射面上のＰＶセルの第１のセルに電気的に結合される前記第１のバスバーをさらに含み、製品は前記第１のバスバーと前記ＰＶセルの第１のセルとの間に配置されるバスバー分離誘電体をさらに含む、請求項２に記載のモジュールクチュア（ｃｔｕｒｅ）。
【請求項４】
前記第２のバスバーが前記第２のＰＶセルの反対面に直接接触で物理的に結合される、請求項２に記載のモジュール。
【請求項５】
前記ＰＶモジュールが前記光入射面の反対面をさらに含み、また、前記第２のバスバーが前記ＰＶセルの第２のセルの反対面、材料ユニット、構造上の裏板と前記第２のバスバーとの間に挿入される封止材料に電気的に結合され、ならびに、前記第２のバスバーが前記封止材料と前記ＰＶセルの第２のセルとの間に挿入される、請求項２に記載のモジュール。
【請求項６】
前記モジュールが屋根板である、請求項１〜５のいずれか１項に記載のモジュール。
【国際調査報告】
2015518289.tif 000008
2015518289.tif 000009